(57)【要約】【課題】第１突設部と第２突設部とを連結する際にも大きな力の必要のないクリップを提供する。【解決手段】クリップ１は、物体を狭持する互いに連結される第１狭持体３と第２狭持体４と、第１狭持体３と第２狭持体４とによって物体を狭持する部分を閉じる方向に付勢するトーションバネ７を備え、第１狭持体３は第２狭持体４に対向する面に突設する第１突設部５を有し、第２狭持体４は第１狭持体３に対向する面に突設する第２突設部６を有し、第１突設部５と第２突設部６とが連結されることで第１狭持体３と第２狭持体４とが揺動軸の周りに揺動開閉自在となる。  そして、第１凹部８に第２凸部１１が嵌め込まれるとともに第２凹部１０に第１凸部９が嵌め込まれることで第１突設部５と第２突設部６とが連結されている  これにより、クリップ１は、大きな力を必要とせずとも第１突設部５と第２突設部６とを連結できる。【選択図】図１
2019007571.tif 000002
【特許請求の範囲】
【請求項１】
物体を狭持する互いに連結される第１狭持体（３）と第２狭持体（４）と、
前記第１狭持体と前記第２狭持体とによって物体を狭持する部分を閉じる方向に付勢する付勢部材（７）とを備え、
前記第１狭持体は、前記第２狭持体に対向する面に突設する第１突設部（５）を有し、
前記第２狭持体は、前記第１狭持体に対向する面に突設する第２突設部（６）を有し、
前記第１突設部と前記第２突設部とが連結されることで前記第１狭持体と前記第２狭持体とが揺動軸の周りに揺動開閉自在となるクリップ（１）において、
前記第１突設部は、前記揺動軸方向の一方側に窪む第１凹部（８）を有する第１雌部（５ｆ）と、前記揺動軸方向の他方側に突設する第１凸部（９）を有する第１雄部（５ｍ）とを備え、前記第１凹部と前記第１凸部とが前記揺動軸方向に離間して配されるように前記第１雌部と前記第１雄部とが前記揺動軸方向に離間して配されており、
前記第２突設部は、前記揺動軸方向の他方側に窪む第２凹部（１０）を有する第２雌部（６ｆ）と、前記揺動軸方向の一方側に突設する第２凸部（１１）を有する第２雄部（６ｍ）とを備え、前記第２凹部と前記第２凸部とが前記揺動軸方向に離間して配されるように前記第２雌部と前記第２雄部とが前記揺動軸方向に離間して配されており、
前記第１凹部に前記第２凸部が嵌め込まれるとともに前記第２凹部に前記第１凸部が嵌め込まれることで前記第１突設部と前記第２突設部とが連結されていることを特徴とするクリップ。
【請求項２】
請求項１に記載のクリップにおいて、
前記第１狭持体と前記第２狭持体とが同一形状であることを特徴とするクリップ。
【請求項３】
請求項１または請求項２に記載のクリップにおいて、
前記付勢部材はコイル部（７ａ）と一対の脚部（７ｂ、７ｃ）とを有するトーションバネであり、前記第１狭持体と前記第２狭持体との間に配されていることを特徴とするクリップ。
【請求項４】
請求項３に記載のクリップにおいて、
前記一対の脚部の一方は、前記第１狭持体に設けられる第１溝部（１５）に嵌め込まれ、
前記一対の脚部の他方は、前記第２狭持体に設けられる第２溝部（１６）に嵌め込まれ、
前記コイル部は、前記第１突設部と前記第２突設部に保持されていることを特徴とするクリップ。
【発明の詳細な説明】
【技術分野】
【０００１】
本発明は、物体を狭持するクリップに関する。
【背景技術】
【０００２】
従来から、物体を狭持する互いに連結される第１狭持体と第２狭持体と、第１狭持体と第２狭持体とによって物体を狭持する部分を閉じる方向に付勢する付勢部材とを備えるクリップが知られている。
ここで、第１狭持体は第２狭持体に対向する面に突設する第１突設部を有し、第２狭持体は第１狭持体に対向する面に突設する第２突設部を有している。
そして、第１突設部と第２突設部とが連結されることで第１狭持体と第２狭持体とが揺動軸の周りに揺動開閉自在となる（例えば、特許文献１参照。）。
【０００３】
このような、クリップにおいては、第１突設部、または、第２突設部のいずれかを弾性変形させ第１突設部と第２突設部とを連結している。
しかし、このような構成では、第１突設部と第２突設部とを連結する際に非常に大きな力が必要となり、第１突設部、第２突設部が樹脂製等の場合は破損の虞も生じ得てしまう。
【先行技術文献】
【特許文献】
【０００４】
【特許文献１】特開２００９−１７５４８号公報
【発明の概要】
【発明が解決しようとする課題】
【０００５】
本発明は、上記の問題点を解決するためになされたものであり、第１突設部と第２突設部とを連結する際にも大きな力の必要のないクリップを提供することにある。
【課題を解決するための手段】
【０００６】
本願発明によれば、クリップは、物体を狭持する互いに連結される第１狭持体と第２狭持体と、第１狭持体と第２狭持体とによって物体を狭持する部分を閉じる方向に付勢する付勢部材とを備える。
ここで、第１狭持体は第２狭持体に対向する面に突設する第１突設部を有し、第２狭持体は第１狭持体に対向する面に突設する第２突設部を有している。
そして、第１突設部と第２突設部とが連結されることで第１狭持体と第２狭持体とが揺動軸の周りに揺動開閉自在となる。
【０００７】
ここで、第１突設部は、揺動軸方向の一方側に窪む第１凹部を有する第１雌部と、揺動軸方向の他方側に突設する第１凸部を有する第１雄部とを備え、第１凹部と第１凸部とが揺動軸方向に離間して配されるように第１雌部と第１雄部とが揺動軸方向に離間して配されている。
また、第２突設部は、揺動軸方向の他方側に窪む第２凹部を有する第２雌部と、揺動軸方向の一方側に突設する第２凸部を有する第２雄部とを備え、第２凹部と第２凸部とが揺動軸方向に離間して配されるように第２雌部と第２雄部とが揺動軸方向に離間して配されている。
そして、第１凹部に第２凸部が嵌め込まれるとともに第２凹部に第１凸部が嵌め込まれることで第１突設部と第２突設部とが連結されている。
【０００８】
これにより、第１突設部と第２突設部とを連結する際も、例えば、第１雄部と第１雌部との間の空間および第２雄部と第２雌部との間の空間を利用し、第１突設部と第２突設部とを、第１凹部と第２凸部とが対向するとともに第２凹部と第１凸部とが対向する位置に配した後に、第１狭持体と第２狭持体とを揺動軸方向に相対変位させることで、特に大きな力も必要とせずに第１凹部に第２凸部を嵌め込むとともに第２凹部に第１凸部を嵌め込むことができる。
このため、大きな力を必要とせずとも第１突設部と第２突設部とを連結することができる。
【図面の簡単な説明】
【０００９】
【図１】クリップの分解斜視図である（実施例）。
【図２】（ａ）クリップの右側面図、（ｂ）左側面図、および、（ｃ）背面図である（実施例）。
【図３】（ａ）連結前の第１突設部と第２突設部、（ｂ）連結状態の第１突設部と第２突設部の背面図である（実施例）。
【発明を実施するための形態】
【００１０】
以下、発明を実施するための形態を実施例に基づいて説明する。
【実施例】
【００１１】
本発明の実施例によるクリップ１を図１に示す。
クリップ１は、目盛りの記された検測ロッド等を狭持することで、検測ロッド等に自身を固定し、その固定される位置等を指し示すものである。
【００１２】
クリップ１は、検測ロッド等を狭持する互いに連結される第１狭持体３と第２狭持体４とを備える。
なお、第１狭持体３、および、第２狭持体４は、それぞれ樹脂製の板状体で、検測ロッド等を狭持する部分の幅が狭くなっている。
なお、以下の説明においては、検測ロッド等を狭持する部分の側を先端側、検測ロッド等を狭持する部分とは異なる側を後端側と呼ぶことがある。
【００１３】
ここで、第１狭持体３は、第２狭持体４に対向する面に突設する第１突設部５を有し、第２狭持体４は、第１狭持体３に対向する面に突設する第２突設部６を有している。
そして、第１突設部５と第２突設部６とが連結されることで第１狭持体３と第２狭持体４とが揺動軸の周りに揺動開閉自在となる。
【００１４】
そして、第１狭持体５と第２狭持体６との間には、検測ロッド等の物体を狭持する先端側の部分を閉じる方向に付勢する付勢部材であるトーションバネ７が配されている。
ここで、トーションバネ７は、コイル部７ａと一対の脚部７ｂ、７ｃを有する一般的なものである。
【００１５】
[実施例の特徴]
実施例におけるクリップ１の特徴的な構成について、図１、図２を用いて説明する。
第１突設部５は、揺動軸方向の一方側に窪む第１凹部８を有する第１雌部５ｆと、揺動軸方向の他方側に突設する第１凸部９を有する第１雄部５ｍとを備える。
そして、第１凹部８と第１凸部９とが揺動軸方向に離間して配されるように第１雌部５ｆと第１雄部５ｍとが揺動軸方向に離間して配されている。
【００１６】
なお、実施例において第１凸部９は揺動軸を軸とする円柱形状を呈しており、第１凹部８は揺動軸を軸とする軸に垂直方向の断面形状が円の貫通穴となっており、第１凸部９の外周径と第１凹部８の内周径は略等しくなっている。
【００１７】
第２突設部６は、揺動軸方向の他方側に窪む第２凹部１０を有する第２雌部６ｆと、揺動軸方向の一方側に突設する第２凸部１１を有する第２雄部６ｍとを備える。
そして、第２凹部１０と第２凸部１１とが揺動軸方向に離間して配されるように第２雌部６ｆと第２雄部６ｍとが揺動軸方向に離間して配されている。
【００１８】
なお、実施例において第２凸部１１は揺動軸を軸とする円柱形状を呈しており、第２凹部１０は揺動軸を軸とする軸に垂直方向の断面形状が円の貫通穴となっており、第２凸部１１の外周径と第２凹部１０の内周径は略等しくなっている。
【００１９】
そして、第１凹部８に第２凸部１１が嵌め込まれるとともに第２凹部１０に第１凸部９が嵌め込まれることで第１突設部５と第２突設部６とが連結されている。
なお、第１凹部８の内周径と第２凸部１１の外周径は略等しくなっており、第２凹部１０の内周径と第１凸部９の外周径も略等しくなっている。
すなわち、第１凹部８と第２凹部１０の内周径は略等しくなっており、第１凸部９と第２凸部１１の外周径は略等しくなっている。
さらに、第１狭持体３と第２狭持体４とは同一形状に形成されている。
【００２０】
具体的なクリップ１の組み付け例を、図３を用いて説明する。
先ず、第１雄部５ｍと第１雌部５ｆとの間の空間および第２雄部６ｍと第２雌部６ｆとの間の空間を利用し、第１突設部５と第２突設部６とを、第１凹部８と第２凸部１１とが対向するとともに第２凹部１０と第１凸部９とが対向する位置に配する（図３（ａ）参照。）。
次に、第１狭持体３と第２狭持体４とを揺動軸方向に相対変位させ第１凹部８に第２凸部１１を嵌め込むとともに第２凹部１０に第１凸部９を嵌め込み第１突設部５と第２突設部６とを連結する（図３（ｂ）参照。）。
【００２１】
ここで、第１狭持体３、第２狭持体４の後端側の端部にはそれぞれトーションバネ７の脚部７ｂ、７ｃを収納する第１溝部１５、第２溝部１６が設けられている。
なお、トーションバネ７は、第１突設部５と第２突設部６とを連結した図３（ｂ）の状態において、例えば、コイル部７ａを先端側、脚部７ｂ、７ｃを後端側とする状態で後端側から圧入するが、第１溝部１５、第２溝部１６は、それぞれ脚部７ｂ、７ｃのガイドとなっている。
【００２２】
なお、第１溝部１５、第２溝部１６には、それぞれ溝底に一段窪んだ溝凹部１７、１８が設けられており、脚部７ｂ、７ｃの端が溝凹部１７、１８に嵌まり込むことで、トーションバネ７は、第１狭持体３および第２狭持体４に固定される。
さらに、トーションバネ７のコイル部７ａは、第１雄部５ｍおよび第２雄部６ｍによって囲まれる空間に保持されている（図２参照。）。
【００２３】
［実施例の効果］
クリップ１において、第１突設部５は、揺動軸方向の一方側に窪む第１凹部８を有する第１雌部５ｆと、揺動軸方向の他方側に突設する第１凸部９を有する第１雄部５ｍとを備え、第１凹部８と第１凸部９とが揺動軸方向に離間して配されるように第１雌部５ｆと第１雄部５ｍとが揺動軸方向に離間して配されている。
【００２４】
また、第２突設部６は、揺動軸方向の他方側に窪む第２凹部１０を有する第２雌部６ｆと、揺動軸方向の一方側に突設する第２凸部１１を有する第２雄部６ｍとを備え、第２凹部１０と第２凸部１１とが揺動軸方向に離間して配されるように第２雌部６ｆと第２雄部６ｍとが揺動軸方向に離間して配されている。
る。
そして、第１凹部８に第２凸部１１が嵌め込まれるとともに第２凹部１０に第１凸部９が嵌め込まれることで第１突設部５と第２突設部６とが連結されている。
【００２５】
これにより、第１突設部５と第２突設部６とを連結する際も、例えば、第１雄部５ｍと第１雌部５ｆとの間の空間および第２雄部６ｍと第２雌部６ｆとの間の空間を利用し、第１突設部５と第２突設部６とを第１凹部８と第２凸部１１とが対向するとともに第２凹部１０と第１凸部９とが対向する位置に配した後に、第１狭持体３と第２狭持体４とを揺動軸方向に相対変位させることで、特に大きな力も必要とせずに第１凹部８に第２凸部１１を嵌め込むとともに第２凹部１０に第１凸部９を嵌め込むことができる。
このため、クリップ１は、第１突設部５と第２突設部６とを連結する際にも大きな力を必要としない。
【００２６】
クリップ１は、第１狭持体３と第２狭持体４とが同一形状である。
これにより、組み付け時における組み付けミスを抑制できる。
さらに、第１狭持体３、および、第２狭持体４は樹脂製であるので、金型を一つで済ませることができる。
【００２７】
クリップ１は、第１狭持体３と第２狭持体４との間に配されるトーションバネ７を有する。
これにより、検測ロッド等の物体を狭持する部分を閉じる方向に付勢する付勢部材を第１狭持体３および第２狭持体４の外部に露出させる必要がなくなり、クリップ１の体格を小さく保つことができる。
【００２８】
さらに、トーションバネ７の一方の脚部７ｂは、第１狭持体３に設けられる第１溝部１５に嵌め込まれ、他方の脚部７ｃは、第２狭持体４に設けられる第２溝部１６に嵌め込まれ、コイル部７ａは、第１突設部５と第２突設部６に保持されている。
これにより、クリップ１内でトーションバネ７の位置を固定できる。
このため、クリップ１からのトーションバネ７の脱落を抑制でき、クリップ１の分解を防ぐことができる。
【００２９】
［変形例］
本発明は、その要旨を逸脱しない範囲で様々な変形例を考えることができる。
例えば、実施例によれば、第１狭持体３と第２狭持体４とは樹脂製であったが、金属製であってもよい。
また、実施例においては、トーションバネ７を用いていたが、板バネ、Ｃリングバネ等を用いる構成であってもよい。
【００３０】
また、実施例によれば、第１凹部８、および、第２凹部１０は、いずれも貫通穴であったが、第１凹部８、第２凹部１０は、必ずしも第１雌部５ｆ、第２雌部６ｆを貫通する必要はない。
【符号の説明】
【００３１】
１  クリップ  ３  第１狭持体  ４  第２狭持体  ５  第１突設部  ５ｍ  第１雄部
５ｆ  第１雌部  ６  第２突設部  ６ｍ  第２雄部  ６ｆ  第２雌部  ８  第１凹部
９  第１凸部  １０  第２凹部  １１  第２凸部  
【図１】
2019007571.tif 000003
【図２】
2019007571.tif 000004
【図３】
2019007571.tif 000005